(57)【要約】      （修正有）【課題】ヒーター取付板とテーブルの天板の底面とが加熱されるのを、低コストで、かつテーブルの天板への取付けも容易に行なうことができるテーブル用ヒーターユニットを提供する。【解決手段】ケース体４の開口部寄りの部位に取付けられた外周部にヒーターの反射面が形成され、中央部に風洞が形成されたヒーター取付板と、このヒーター取付け板の反射面によって下方へ反射されるように、該ヒーター取付板に取付けられたヒーターと、このヒーターおよびヒーター取付板を覆うようにケース体に取付けられた網状カバーと、ケース体に形成された該ケース体とテーブル５の天板６との間およびケース体の外周部より空気を吸引する複数個の空気吸引口３と、ヒーター取付板の風洞より複数個の空気吸引口より吸引した空気を下方へ排出できるように、該風洞部分に羽根が位置するように取付けられたファンとで構成している。【選択図】図１
0003168157.tif 000002
【実用新案登録請求の範囲】
【請求項１】
下端部が開口の浅皿状のケース体と、このケース体に取付けられた該ケース体の上面より上方へ突出するテーブルの天板の底面に取付けることができる複数個の脚部材と、前記ケース体の開口部寄りの部位に取付けられた外周部にヒーターの反射面が形成され、中央部に風洞が形成されたヒーター取付板と、このヒーター取付け板の反射面によって下方へ反射されるように、該ヒーター取付板に取付けられたヒーターと、このヒーターおよび前記ヒーター取付板を覆うように前記ケース体に取付けられた網状カバーと、前記ケース体に形成された該ケース体と前記テーブルの天板との間およびケース体の外周部より空気を吸引する複数個の空気吸引口と、前記ヒーター取付板の風洞より前記複数個の空気吸引口より吸引した空気を下方へ排出できるように、該風洞部分に羽根が位置するように取付けられたファンとからなることを特徴とするテーブル用ヒーターユニット。
【請求項２】
複数個の脚部材はケース体の対向する外壁面に２対設けられ、かつテーブルの天板の底面への取付部はケース体の外壁面より外方に形成されたものが使用されるとともに、ヒーター取付板は中央部に円筒状の風洞が形成され、該風洞の両端部にヒーター取付部が形成されていることを特徴とする請求項１記載のテーブル用ヒーターユニット。
【考案の詳細な説明】
【技術分野】
【０００１】
本考案はテーブルの天板の底面に取付けて使用するテーブル用ヒーターユニットに関する。
【背景技術】
【０００２】
従来のテーブル用ヒーターユニットはテーブルの天板への熱伝導を防止するために、反射板と断熱材を用いたり、反射板にファンで空気を吹き付け、反射板の周囲の熱くなった空気をテーブルの下方へ送る方法が考えられている。
【０００３】
しかしながら、前者にあってはテーブルの天板への熱伝導を防止するためには十分な厚さの断熱材が必要となり、コスト高になるという欠点があるとともに、ヒーターの熱を、足元を暖かくするために効率よく利用されていないという欠点があった。
【０００４】
また、後者のファンを用いる方法ではヒーターの熱を熱反射板に吹き付け、斜め外方の下方へ熱風を送るため、熱反射板に熱風が吹き付けられるとともに、テーブル下部の中心部に効率よく熱風が吹き付けられていないという欠点があった。
【先行技術文献】
【特許文献】
【０００５】
【特許文献１】特開平９−２１５３５号公報
【特許文献２】特開２００５−４１６号公報
【考案の開示】
【考案が解決しようとする課題】
【０００６】
本考案は以上のような従来の欠点に鑑み、ファンによってテーブルの中央部を効率よく熱することができるとともに、ヒーター取付板とテーブルの天板の底面との間にファンへ供給する、比較的に低温の空気を供給することができる空気の通路によって、ヒーター取付板とテーブルの天板の底面とが加熱されるのを、低コストで、かつテーブルの天板への取付けも容易に行なうことができるテーブル用ヒーターユニットを提供することを目的としている。
【０００７】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００８】
上記目的を達成するために、本考案は下端部が開口の浅皿状のケース体と、このケース体に取付けられた該ケース体の上面より上方へ突出するテーブルの天板の底面に取付けることができる複数個の脚部材と、前記ケース体の開口部寄りの部位に取付けられた外周部にヒーターの反射面が形成され、中央部に風洞が形成されたヒーター取付板と、このヒーター取付け板の反射面によって下方へ反射されるように、該ヒーター取付板に取付けられたヒーターと、このヒーターおよび前記ヒーター取付板を覆うように前記ケース体に取付けられた網状カバーと、前記ケース体に形成された該ケース体と前記テーブルの天板との間およびケース体の外周部より空気を吸引する複数個の空気吸引口と、前記ヒーター取付板の風洞より前記複数個の空気吸引口より吸引した空気を下方へ排出できるように、該風洞部分に羽根が位置するように取付けられたファンとでテーブル用ヒーターユニットを構成している。
【考案の効果】
【０００９】
以上の説明から明らかなように、本考案にあっては次に列挙する効果が得られる。
（１）請求項１により、テーブルの天板の底面にケース体に取付けられた複数個の脚部材を取付けることにより、取付けることができる。
したがって、テーブルの天板に簡単に取付けることができる。
（２）前記（１）により、テーブルの天板の底面に取付けると、ケース体と天板の底面との間に隙間が生じ、該隙間がケース体内へ空気を導く通路にできる。
【００１０】
したがって、天板の底面とケース体との空気を導く通路によって、ヒーターからの熱が天板に伝わるのを効率よく阻止することができる。
（３）前記（１）により、ファンにより下方の空気を導く通路やケース体の空気吸引口からの空気を、風洞を介して下方へ排出できる。
このため、この下方へ排出される空気はヒーターからの熱により、加熱された状態で下方へ排出されるため、風洞の位置しているテーブルの中央部に暖かい空気が流れ、テーブルを利用する人の足元を効率よく暖めることができる。
（４）前記（１）により、風洞より下方へ空気を排出するので、空気を導く通路やケース体の空気吸引口にはヒーターで熱せられた空気がテーブルの下部へ排出されて、上方へ回り込んだものを入り込ませることができる。
したがって、空気を導く通路やケース体の空気吸引口には暖かい空気が流れ込むことがなく、天板に伝わるヒーターからの熱を効率よく阻止できる。
（５）前記（１）により、ヒーター取付板には風洞が形成されているので、ファンからの送風を確実に下方へ排出することができるとともに、ヒーターの熱を風洞から排出される送風に吸引状態で混合させることができる。
したがって、風洞からの送風を効率よく熱風にすることができる。
（６）前記（１）により、従来のように断熱材を使用することなく使用できる。
したがって、断熱材を使用しないことで小スペース化や、コストの低減を図ることができる。
（７）請求項２も前記（１）〜（６）と同様な効果が得られるとともに、テーブルの天板の底面に楽に取付けることができるとともに、両側部のヒーター取付部に取付けられたヒーターによって、両側部を効率よく暖めることができる。
【図面の簡単な説明】
【００１１】
【図１】本考案を実施するための第１の形態の使用状態の正面図。
【図２】本考案を実施するための第１の形態の取付け状態の説明図。
【図３】本考案を実施するための第１の形態の平面図。
【図４】本考案を実施するための第１の形態の正面図。
【図５】本考案を実施するための第１の形態の底面図。
【図６】本考案を実施するための第１の形態のヒーター取付板の説明図。
【図７】図３の７−７線に沿う断面図。
【図８】図６の８−８線に沿う断面図。
【図９】図６の９−９線に沿う断面図。
【図１０】本考案を実施するための第１の形態の熱風の流れる状態の説明図。
【図１１】本考案を実施するための第２の形態の使用状態の正面図。
【図１２】本考案を実施するための第２の形態の底面図。
【図１３】本考案を実施するための第２の形態のヒーター取付板とヒーターの説明図。
【図１４】本考案を実施するための第３の形態の使用状態の正面図
【図１５】本考案を実施するための第３の形態の正面図。
【図１６】本考案を実施するための第３の形態のヒーター取付板の底面図。
【考案を実施するための形態】
【００１２】
以下、図面に示す本考案を実施するための形態により、本考案を詳細に説明する。
【００１３】
図１ないし図１０に示す本考案を実施するための第１の形態において、１は本考案のテーブル用ヒーターユニットで、このテーブル用ヒーターユニット１は下端部が開口２で、外周部に複数個の空気吸引口３、３、３、３、３、３、３、３が形成され、上面に透孔を多数個並列させた空気吸引口３Ａ、３Ａ、透孔の空気吸引口３Ｂ、３Ｂ、３Ｂ、３Ｂが形成された四角形状の浅皿状のケース体４と、このケース体４の対向する外壁面４ａ、４ａに溶接等によって固定された、該ケース体４の上面より上方へ突出するテーブル５の天板６の底面にビス７で着脱可能に取付けることができる外方へ突出するビス挿入孔８、８、８、８が形成された取付部９、９、９、９を有する複数個の脚部材１０、１０、１０、１０と、前記ケース体４の開口２部寄りの部位に、該開口２を覆うように溶接あるいは複数本のビスで取付けられた中央部に筒状の風洞１１が形成され、両端部に半円弧状のヒーターの反射面１２、１２が形成されたヒーター取付板１３と、このヒーター取付板１３のヒーターの反射面１２、１２によって下方へ熱を効率よく反射できるように、該ヒーター取付板１３のヒーターの反射面１２、１２部位に取付けられたヒーター１４、１４と、このヒーター１４、１４および前記ヒーター取付板１３を覆うように、前記ケース体４に複数本のビス１５で取付けられた耐熱材製の網状カバー１６と、前記ヒーター取付板１３の風洞１１部分に羽根１７が位置するように、前記ケース体４の上面に取付けられたファン１８とで構成されている。
【００１４】
上記構成のテーブル用ヒーターユニット１は、テーブル５の天板６の底面中央部に脚部材１０、１０、１０、１０の取付部９、９、９、９のビス挿入孔８、８、８、８へビス７、７、７、７を挿入して天板６に螺合固定することにより、テーブル５の天板６に取付けることができる。
【００１５】
このようにテーブル５の天板６に取付けられたテーブル用ヒーターユニット1のヒーター１４、１４およびファン１８をＯＮ状態にすることにより、テーブル５の天板６の底面とケース体４との間の隙間１９である空気を導く通路およびケース体４の外周部より、空気吸引口３Ａ、３Ａ、３Ｂ、３Ｂ、３Ｂ、３Ｂ、３、３、３、３、３、３、３、３よりケース体４内へ空気が吸引され、風洞１１より下方へ排出される。
【００１６】
この時、風洞１１の外周部のヒーター反射面１２、１２部位のヒーター１４、１４で暖められた空気は、風洞１１より排出された空気流に吸引された状態となり、この空気を暖めるため、テーブル５の下部中央部分が暖かくなる。
【００１７】
また、ファン１８の駆動によって吸引される空気は、空気を導く通路である隙間１９より空気吸引口３Ａ、３Ａ、３Ｂ、３Ｂ、３Ｂ、３Ｂおよびケース体４の外周部の空気吸引口３、３、３、３、３、３、３、３より導かれるため、テーブル５下部位置の比較的に熱せられていない部分の空気が導かれ、テーブル５の天板６が熱せられるのを効率よく防止することができる。    
【００１８】
[考案を実施するための異なる形態]
次に、図１１ないし図１６に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１９】
図１１ないし図１３に示す本考案を実施するための第２の形態において、前記本考案を実施するための第１の形態と主に異なる点は、風洞１１のまわりにリング状のヒーター反射面１２Ａが形成されたヒーター取付板１３Ａと、このヒーター取付板１３Ａのヒーター反射面１２Ａによって効率よく熱反射されるように、該ヒーター取付板１３Ａに取付けられた環状のヒーター１４Ａとを用いた点で、このようなヒーター取付板１３Ａとヒーター１４Ａとを用いて構成したテーブル用ヒーターユニット１Ａにしても、前記本考案を実施するための第１の形態と同様な作用効果が得られる。
【００２０】
なお、ケース体４、ヒーター取付板１３Ａ、環状のカバー１６を円形状に形成したものを使用し、全体形状として円柱状になるようにしてもよい。
【００２１】
図１４ないし図１６に示す本考案を実施するための第３の形態において、前記本考案を実施するための第１の形態と主に異なる点は、中央部の透孔２０部分に小径の先端部が下方へ突出するように円錐台形状の筒部材２１を溶接あるいは溶着等で固定的に取付け、風洞１１Ａとしたヒーター取付板１３Ｂを用いた点で、このように形成した製造が容易で、必要な部位の熱風を導くことができるヒーター取付板１３Ｂを用いて構成したテーブル用ヒーターユニット１Ｂにしても、前記本考案を実施するための第１の形態と同様な作用効果が得られる。
【００２２】
なお、前記本考案の実施の形態では円筒形状の風洞１１、１１Ａについて説明したが、本考案はこれに限らず四角筒など筒の形状であればどんな形状の風洞であってもよい。
【産業上の利用可能性】
【００２３】
本考案はテーブルの天板の底面に簡単に取付けることができるとともに、テーブルの下部の位置で、特に足が位置する部分を効率よく暖めることができるテーブル用ヒーターユニットを製造する産業で利用することができる。
【符号の説明】
【００２４】
１、１Ａ、１Ｂ：テーブル用ヒーターユニット、
２：開口、        ３、３Ａ、３Ｂ：空気吸引口、
４：ケース体、      ５：テーブル、  
６：天板、        ７：ビス、
８：ビス挿入孔、      ９：取付部、
１０：脚部材、      １１、１１Ａ：風洞、
１２、１２Ａ：ヒーター反射面、
１３、１３Ａ、１３Ｂ：ヒーター取付板、
１４、１４Ａ：ヒーター、    １５：ビス、
１６：網状カバー、      １７：羽根、
１８：ファン、      １９：隙間、
２０：透孔、        ２１：筒部材。
【図１】
0003168157.tif 000003
【図２】
0003168157.tif 000004
【図３】
0003168157.tif 000005
【図４】
0003168157.tif 000006
【図５】
0003168157.tif 000007
【図６】
0003168157.tif 000008
【図７】
0003168157.tif 000009
【図８】
0003168157.tif 000010
【図９】
0003168157.tif 000011
【図１０】
0003168157.tif 000012
【図１１】
0003168157.tif 000013
【図１２】
0003168157.tif 000014
【図１３】
0003168157.tif 000015
【図１４】
0003168157.tif 000016
【図１５】
0003168157.tif 000017
【図１６】
0003168157.tif 000018